(57)【特許請求の範囲】
【請求項１】
警備領域内を警戒セット状態又は解除状態に設定するコントローラに対して警戒セット状態への移行を要求する信号を送信する無線式の警備用セット操作装置において、
解除状態から警戒セット状態へ移行するセット要求の操作を行うセット操作部と、
前記コントローラにセット要求の信号を無線送信する送信部と、
前記コントローラからセット要求の確認信号を無線受信する受信部と、
前記コントローラにて警戒セット確認又は警戒セット不可の旨の表示を行う表示部と、
前記セット操作部のセット要求の操作に基づいてアクティブ状態となり前記送信部を介してセット要求の信号を前記コントローラに送信し、前記セット要求の操作があった後、所定時間内に、前記受信部を介して警戒セット確認信号を受信した場合には、前記表示部に警戒セット確認の旨を表示し、前記所定時間内に、前記受信部を介してセット不可の信号を受信した場合、又は、前記所定時間内に前記警戒セット確認信号と前記セット不可の信号のいずれも受信しなかった場合に、前記表示部に警戒セット不可の旨を表示し、その後、アクティブ状態からスリープ状態に切換わる制御部と、
を具備した警備用セット操作装置。
【発明の詳細な説明】
【０００１】
【発明の属する技術分野】
本発明は警備領域内での火災発生や侵入者を検出すると電話回線等の通信回線を介して警備センターに通報を行う警備システムに関し、特に警備システムの警備領域内を無線信号で解除状態から警戒セット状態（セット状態）にセット操作しコントローラがセット状態になったかを確認する無線式の警備用セット操作装置のバッテリ消費を低減できる装置に関する。
【０００２】
【従来の技術】
上記警備システムでは、マンション、一般家屋、ビル、工場等の警備領域内に、火災検知器、侵入者検知器、ガス漏れ検出器等の各種センサーが設置され、これらのセンサーがコントローラに接続されている。コントローラは電話回線を介して遠隔の警備センターに接続されている。警備領域内がセット状態にあるときに、例えば、侵入者検出器が侵入者を検出すると、コントローラから警備センターへ侵入異常信号が通報され、警備センターから対処者が向うなど適切な対処を行うようにしている。他方、警備領域内が解除状態にあるときにはその中で人々が通常の活動を行っており、侵入者検出器が侵入者を検出しても、コントローラから警備センターへ侵入異常信号が通報されない。
【０００３】
上記警備システムには、例えば警備領域の外側に、警備領域内を解除状態からセット状態に、又はセット状態から解除状態に切り換える警備用モード設定装置が設けられている。この場合、警備領域内が無人となるような時に、利用者が警備領域内のコントローラで最終出口を除く全ての各種センサが警戒状態となっているかを確認し、最終出口の扉などを確実に閉鎖した後に、外側の警備用モード設定装置にて警備領域内をセット状態とする。また警備用モード設定装置をコントローラにて内蔵もしくは近傍に設置している場合がある。この場合、警備領域内の警備用モード設定装置でセット状態を設定するためのセット操作をするとディレイタイマ（例えば、２分間）が働き警備システムがセット準備状態になる。警備システムがセット準備状態になるとディレイ時間経過後にセット状態になるが、利用者が扉の外、つまり、警備領域の外に出てディレイ時間経過前にその位置を離れると無人状態であり、かつ解除状態にある無警戒の空白時間が発生するという問題がある。
【０００４】
【発明が解決しようとする課題】
また、上記警備用モード設定装置では、コントローラとの電気的な接続が有線で行われており、配線工事がコスト上負担となり、さらに、配線、配線の貫通孔が外観の美感を損ねたり、配線が切断されるという問題がある。このためセット状態を要求する処理等を行う警備用セット操作装置を有線の代わりに無線にすると、電力の供給もバッテリにする必要があるが、電力の消費が大きいためバッテリ（電池）の交換が頻繁となる。また、警備領域内を解除状態からセット状態へ移行させるのは１日に数回程度であり、この操作のために警備用セット操作装置を常時アクティブ状態にしているとバッテリの消耗が著しい。
【０００５】
したがって、本発明は、上記問題点に鑑み、電力の消費を低減できる無線式の警備用セット操作装置を提供することを目的とする。
【０００６】
【課題を解決するための手段】
本発明は、前記問題点を解決するために、警備領域内を警戒セット状態又は解除状態に設定するコントローラに対して警戒セット状態への移行を要求する信号を送信する無線式の警備用セット操作装置において、解除状態から警戒セット状態へ移行するセット要求の操作を行うセット操作部と、前記コントローラにセット要求の信号を無線送信する送信部と、前記コントローラからセット要求の確認信号を無線受信する受信部と、前記セット操作部のセット要求の操作に基づいてアクティブ状態となり前記送信部を介してセット要求の信号を前記コントローラに送信し、その後セット要求の確認信号を受信するとアクティブ状態からスリープ状態に切換わる制御部とを具備した警備用セット操作装置を提供する。
【０００７】
すなわち、警備用セット操作装置は、通常時には電力消費の少ないスリープ状態に維持され、セット操作のときに電力消費の多いアクティブ状態になるので、バッテリの消耗を抑えることができる。
また、前記制御部は、前記セット要求の操作があった後所定時間内に前記セット要求の確認信号を受信しなければアクティブ状態からスリープ状態に切換わる警備用セット操作装置が提供される。
【０００８】
すなわち、たとえ、セット要求の確認信号を警備用セット操作装置にて受信できなくても所定時間が経過するとスリープ状態となるので、電力消費の多いアクティブ状態のまま長時間放置されることがなくなり、バッテリの消耗を抑えることができるのである。
【０００９】
【発明の実施の形態】
本発明は、警備システムのセット操作は１日に１回、２回程度であり、頻繁に行われないことに着目する。
以下本発明の実施の形態について図面を参照して説明する。
図１は本発明に係る警備システムを説明する図である。本図に示す如く、警備システムは、複数の監視建物Ａ、Ｂ…のそれぞれに、例えば、監視建物Ａの内部（周辺も含んでもよい）には侵入者検出、火災検出用の複数のセンサ１Ａ、２Ａ、３Ａ、４Ａと、これらのセンサからの入力に基づき警備センター１１へ電話回線７Ａを介して通報したり、警備領域内をセット状態又は解除状態にするなどの制御を行うコントローラ５Ａと、コントローラ５Ａに対してセット準備状態時に解除状態をセット状態にするセット要求を行う無線式の警備用セット操作装置６Ａが設けられる。例えば、センサ１Ａ、２Ａ、３Ａからコントローラ５Ａへは信号が有線で、センサ４Ａからコントローラ５Ａへは信号が無線で送信される。コントローラ５Ａは電話回線７Ａ、交換機９、電話回線１０を経由して警備センター１１に接続される。
【００１０】
図２は図１のコントローラ５Ａを説明する図である。本図に示す如く、コントローラ５Ａはセンサ１Ａ、２Ａ、３Ａの信号を入力するための有線センサインタフェース（Ｉ／Ｆ）５１Ａと、無線センサ４Ａからの信号を受信するとともに、無線式の警備用セット操作装置５Ａとの間で送受信を行うアンテナ５２Ａと、アンテナ５２Ａに接続される送信部５３Ａと、アンテナ５２Ａに接続される受信部５４Ａと、受信部５４Ａを経由して無線式の警備用セット操作装置６Ａからセット要求信号や後述する警備モード信号などを入力し、有線センサインタフェース５１Ａからセンサ１Ａ、２Ａ、３Ａの異常信号や受信部５４Ａを経由してセンサ４Ａの異常信号を入力し、セット状態での異常状態を判断して、その結果を警備センター１１に送信する制御を行うためＣＰＵ（中央演算装置）ＲＯＭ(Read Only Memory)、ＲＡＭ(Random Access Memory)からなる制御部５５Ａと、磁気カード、ＩＣカード等により制御部５５Ａをセット準備状態にする操作部５６Ａと、制御部５５Ａからのデータを電話回線に乗せて警備センター１１に出力するための通報部５７Ａと、制御部５５Ａの制御状態を表示する表示部５８Ａと、交流（ＡＣ）電源を直流（ＤＣ）に変換して送信部５３Ａ，受信部５４Ａ、制御部５５Ａ、操作部５６Ａ、通報部５７Ａ、表示部５８Ａに直流電源を供給する電源部５９Ａを具備する。
【００１１】
図３は図１の無線式の警備用セット操作装置６Ａを説明する図である。本図に示す如く、無線式の警備用セット操作装置６Ａは、コントローラ５Ａに対してセット要求の信号を送信し、コントローラ５Ａから返信されるセット確認信号を受信するアンテナ６１Ａと、アンテナ６１Ａに接続される送信部６２Ａ、受信部６３Ａと、利用者がセット要求信号を発生させるセットボタン６４Ａと、コントローラ５Ａに登録してある自分のアドレスを記憶してデータ送信時にこのアドレスを付けて送るためのアドレス記憶部６５Ａと、送信部６２Ａ、受信部６３Ａ、セットボタン６４Ａ、アドレス記憶部６５Ａに接続されてセット要求信号を出力するためのデータを処理し、受信したセット確認信号を表示するデータに処理し、無線式の警備用セット操作装置６Ａをアクティブ状態又はスリープ状態に制御するためＣＰＵ、ＲＯＭ、ＲＡＭからなる制御部６６Ａと、制御部６６Ａからのセット要求の確認信号のデータにより点滅表示を行うため例えばＬＥＤ（発光ダイオード）からなる表示部６７Ａと、制御部６６Ａをアクティブ状態からスリープ状態にする時間を制御するタイマ６８Ａと、送信部６２Ａ、受信部６３Ａ、制御部６６Ａ、表示部６７Ａ、タイマ６８Ａに直流電力を供給する電池６９Ａとを具備する。
【００１２】
ここに、アクティブ状態とは制御部６６Ａに使用されているメインクロック、送信部６２Ａ、受信部６３Ａに使用されている変調用又は復調用の局部発振器などが駆動しており電力消費が多い状態をいい、スリープ状態とは、これらが停止して電力の消費の少ないサブクロックにてセットボタン６４Ａからの入力を待っている状態を言う。このため、スリープ状態ではアクティブ状態に比べ電力の消費が非常に少なくなる。
【００１３】
図４は図３の制御部６６Ａの動作例を説明するフローチャートであり、図５は図３の制御部６６Ａの動作を説明するタイムチャートである。図４（図５参照）に示す如く、ステップＳ１においてセットボタン６４Ａの押下があるまでスリープ状態にして待機している。ステップＳ１にて押下があればステップＳ２において電源部５９Ａに無線式の警備用セット操作装置６Ａをウェイクアップさせてアクティブ状態とし、セット要求を送信部６２Ａ、アンテナ６１Ａを経由して出力しタイマ６８Ａをスタートさせる。そして、所定間隔でステップＳ３においてコントローラ５Ａからアンテナ６１Ａ、受信部６３Ａを経由してセット要求の確認信号（セットＯＫ）の返信があったかを判断する。ステップＳ４において返信があれば表示部６７ＡにセットＯＫの点滅表示を行わせる。所定時間経過後ステップＳ５において無線式の警備用セット操作装置６Ａをスリープ状態に設定してステップＳ１に戻る。ステップＳ３においてタイマー６８Ａが計時中にセット要求の確認信号がなければ、ステップＳ６においてコントローラ５Ａがセット準備状態でない旨のセット不可の信号（セットＮＧ）を受信したかを判断する。セットＮＧ信号を受信した場合、ステップＳ７において表示部６７ＡにセットＮＧの点滅表示を行わせて所定時間経過後ステップＳ５に進む。ステップＳ６においてセット不可の信号を受信しなければ、ステップＳ８においてタイマ６８Ａがプリセットした時間でタイマアップしたかを判断し、タイムアップ前であればステップＳ３に戻りタイムアップしたらステップＳ７に進む。
【００１４】
【発明の効果】
以上の説明により、本発明によれば、無線式の警備用セット操作装置をコントローラとの送受信時だけアクティブ状態にし、その他ではスリープ状態にしたので、無線式の警備用セット操作装置のバッテリの消耗を低減することが可能になった。
【図面の簡単な説明】
【図１】本発明に係る警備システムを説明する図である。
【図２】図１のコントローラ５Ａを説明する図である。
【図３】図１の無線式の警備用セット操作装置６Ａを説明する図である。
【図４】図３の制御部６６Ａの動作例を説明するフローチャートである。
【図５】図３の制御部６６Ａの動作を説明するタイムチャートである。
【符号の説明】
１Ａ、２Ａ、３Ａ、４Ａ…センサ
５Ａ…コントローラ
６Ａ…無線式の警備用セット操作装置
７Ａ、７Ｂ、１０…電話回線
９…交換機
１１…警備センター
６１Ａ…アンテナ
６２Ａ…送信部
６３Ａ…受信部
６４Ａ…セットボタン
６５Ａ…アドレス記憶部
６６Ａ…制御部
６７Ａ…表示部
６８Ａ…タイマ
６９Ａ…電池電源
Ａ、Ｂ…監視建物
【図１】
0003739176.tif 000002
【図２】
0003739176.tif 000003
【図３】
0003739176.tif 000004
【図４】
0003739176.tif 000005
【図５】
0003739176.tif 000006